(57)【要約】【解決手段】家畜飼料（１２）を混合するための混合機（１０）を開示する。装置（１０）は、飼料（１２）をその中に受け入れるための容器（１４）を含む。容器（１４）は、ハウジング（１６）および、ハウジング（１６）から遠方に拡張する壁（１８）を含む。壁（１８）は、開口（２０）および包囲部（２２）を画成している。包囲部（２２）内にはオーガ（２４）が配設されている。オーガ（２４）は、ハウジング（１６）内に配設されている最終従動車（２８）によって回転する。最終従動車（２８）およびオーガ（２４）は、それぞれハウジング（１８）および包囲部（２２）に対してユニットとして一体に取外しおよび交換可能である。最終従動車（２８）およびオーガ（２４）がユニットとして一体に取外された時に、最終従動車（２８）への直接アクセスが可能となる。
2004538124.tif 000002
【特許請求の範囲】
【請求項１】
家畜飼料等を混合するための混合機装置であって、前記装置は、
その中に飼料を受け入れるための容器と、
前記容器は、
ハウジングおよび、
前記ハウジングから遠方に拡張する壁を備えており、前記壁は、それを通じて飼料を受け入れるための前記ハウジングから離れて配置された開口を画成しており、その構成は、前記ハウジングおよび前記壁が、前記開口により受け入れた飼料のための包囲部をそれらの間に画成するようなものであり、
前記包囲部内に配設されたオーガと、前記オーガは前記ハウジングを通って延長する回転軸を有しており、
前記ハウジング内に配設された最終従動車とを含み、前記最終従動車は前記回転軸に関して回転可能であり、前記最終従動車は、前記最終従動車が前記ハウジング内で回転した時に、前記オーガが飼料を混合するためにそれとともに前記包囲部内で回転するように、前記オーガと伝動式に連結されており、
ユニットとして一体の前記最終従動車および前記オーガは、それぞれ前記ハウジングおよび包囲部に対して取外しおよび交換可能であり、その構成は、前記最終従動車および前記オーガがユニットとして一体に取外された時に、前記最終従動車への直接アクセスが可能となるようなものである、混合機装置。
【請求項２】
前記容器は、それに前記ハウジングを支持するためのフレームをさらに含む、請求項１記載の混合機装置。
【請求項３】
前記容器は、前記混合機装置の運搬を可能にするために前記フレームに回転可能に固定された複数の車輪をさらに含む、請求項２記載の混合機装置。
【請求項４】
前記容器は、トラクタ等による前記混合機装置の運搬を助成するために前記フレームに固定されたヒッチバーをさらに含む、請求項３記載の混合機装置。
【請求項５】
前記ハウジングは、
底部と、
第１および第２の端を有するリムと、前記リムの前記第１の端は前記底部に固定されており、
前記オーガと前記最終従動車との間に配設された床とを含み、前記床は前記リムの前記第２の端に固定されており、それによって、前記底部、前記リムおよび前記床がそれらの間に前記最終従動車のためのケース部を画成する、請求項１記載の混合機装置。
【請求項６】
前記床は、それを通じて前記最終従動車の取外しおよび交換を可能にするためのアクセス穴を画成している、請求項５記載の混合機装置。
【請求項７】
前記床は、
前記アクセス穴を覆うためのカバーを含み、前記カバーは、前記最終従動車による前記オーガの駆動が可能になるように前記回転軸がそれを貫き延長する開口を画成している、請求項６記載の混合機装置。
【請求項８】
前記カバーは、
前記開口を通り拡張する軸受を含み、前記軸受は、前記最終従動車が駆動している時に前記オーガおよび前記最終従動車の回転を可能にするために前記オーガおよび前記最終従動車を軸受として支持するために前記オーガと前記最終従動車との間に配設されている、請求項７記載の混合機装置。
【請求項９】
前記床は前記アクセス穴の周囲に配置されたボアの配列を画成しており、
前記カバーは複数の穴を画成する周縁部と、
複数の締結具とを有しており、各締結具は、前記カバーを前記床に脱着可能に固定するために、前記複数の穴のうちの穴と前記ボアの配列のうちの整列したボアとを貫き延長する、請求項７記載の混合機装置。
【請求項１０】
前記ケース部は前記最終従動車を潤滑するための潤滑剤で満たされている、請求項５記載の混合機装置。
【請求項１１】
前記壁は前記ハウジングから角度をつけて遠方に拡張している、請求項１記載の混合機装置。
【請求項１２】
前記壁はそれを通じて飼料を放出するための放出口を画成する、請求項１記載の混合機装置。
【請求項１３】
前記放出口は扉を含む、請求項１２記載の混合機装置。
【請求項１４】
前記放出口は、
扉と、
前記包囲部から飼料を遠方に移動させるための前記扉に隣接して配置された少なくとも１つの回転エキスペラとを含む、請求項１２記載の混合機装置。
【請求項１５】
前記放出口は、
扉と、
前記包囲部から飼料を遠方に移動させるための前記扉に隣接して配置されたコンベヤとを含む、請求項１２記載の混合機装置。
【請求項１６】
前記オーガは、
心と、
前記オーガが回転した時に、前記包囲部内に配置された飼料が混合されるように、前記心に結合されている羽根とを含む、請求項１記載の混合機装置。
【請求項１７】
前記心は円筒形構成をしている、請求項１６記載の混合機装置。
【請求項１８】
前記心は円錐形構成をしている、請求項１６記載の混合機装置。
【請求項１９】
前記羽根は前記心の周囲にらせん状に配設されている、請求項１６記載の混合機装置。
【請求項２０】
前記羽根は、
第１の部分と、
前記第１の部分に対して食違いにされている第２の部分とを含み、それによって、第１の部分と第２の部分との間で飼料の動きが中断されるようになっている、請求項１９記載の混合機装置。
【請求項２１】
前記第１の部分は第１の端および第２の端を有し、前記第１の端はハウジングに隣接して配置されており、
前記第２の部分は第１の先端および第２の先端を有しており、前記第１の先端は前記第１の部分の前記第２の端に対して隣合って離間した関係で配置されている、請求項２０記載の混合機装置。
【請求項２２】
前記第１の部分はパドルであり、
前記第２の部分は別のパドルである、請求項２０記載の混合機装置。
【請求項２３】
前記羽根は内端部および外端部を有しており、前記内端部は前記心に結合されており、前記外端部は、取出し作業の間の前記オーガからの飼料の放出および洗浄が助成されるように、前記ハウジング方向に傾けられている、請求項１９記載の混合機装置。
【請求項２４】
前記最終従動車は歯車である、請求項１記載の混合機装置。
【請求項２５】
前記歯車は複数の直歯を含む、請求項２４記載の混合機装置。
【請求項２６】
前記歯車は少なくとも３フィートの直径を有する、請求項２４記載の混合機装置。
【請求項２７】
最終従動車は従動スプロケットである、請求項１記載の混合機装置。
【請求項２８】
前記オーガの前記回転軸に対してほぼ平行に離間して配置されている別の回転軸を有する原動車をさらに含み、前記原動車は前記最終従動車を駆動する、請求項１記載の混合機装置。
【請求項２９】
前記原動車は駆動ピニオンであり、
前記駆動ピニオンは複数の歯を有しており、
前記最終従動車は、前記駆動ピニオンが回転した時に前記最終従動車および前記オーガが回転するように、前記駆動ピニオンの前記複数の歯と噛合する歯を有する歯車である、請求項２８記載の混合機装置。
【請求項３０】
前記原動車は駆動ピニオンであり、
前記駆動ピニオンは複数の歯を有しており、
前記最終従動車は、前記駆動ピニオンが回転した時に前記最終従動車および前記オーガが回転するように、前記駆動ピニオンの前記複数の歯と噛合する歯を有する歯車であり、
前記ハウジングは、
底部と、
第１および第２の端を有するリムと、前記リムの前記第１の端は前記底部に固定されており、
前記オーガと前記最終従動車との間に配設された床とを含み、前記床は前記リムの前記第２の端に固定されており、それによって、前記底部、前記リムおよび前記床がそれらの間に前記最終従動車のためのケース部を画成しており、
前記床および前記底部は前記駆動ピニオンをその中に受け入れるための空洞をさらに画成する、請求項２８記載の混合機装置。
【請求項３１】
前記空洞内で前記駆動ピニオンを回転可能に支持するために前記ハウジングに固定されている駆動ピニオン軸受と、
前記駆動ピニオンに固定された駆動軸とをさらに含み、前記駆動軸は、前記駆動軸が回転した時に、前記駆動ピニオン、前記最終従動車および前記オーガが回転するように、前記ハウジングを通って延長している、請求項３０記載の混合機装置。
【請求項３２】
前記駆動ピニオンの前記複数の歯および前記最終従動車の前記歯の近傍に配設されたガイドをさらに含み、この構成は、前記複数の歯が前記最終従動車の前記歯と噛合する時に、前記噛合する歯が噛合関係に前記ガイドによって案内されるようなものである、請求項２９記載の混合機装置。
【請求項３３】
前記ガイドは、前記駆動ピニオンに固定されており、前記駆動ピニオンと前記底部との間に配設されている、請求項３３記載の混合機装置。
【請求項３４】
前記包囲部内に配設された別のオーガと、前記別のオーガは、前記オーガの前記回転軸から離間してほぼ平行に配置された回転軸を有しており、
前記オーガおよび前記別のオーガに共通な原動車とをさらに含み、前記原動車は、前記オーガの前記回転軸および前記別のオーガの前記回転軸に対してほぼ平行に離間して配置されている別の回転軸を有する、請求項１記載の混合機装置。
【請求項３５】
前記原動車の前記別の回転軸は、前記オーガの前記回転軸と前記別のオーガの前記回転軸との間に配置されている、請求項３４記載の混合機装置。
【請求項３６】
前記オーガの前記回転軸は、前記原動車の前記別の回転軸と前記別のオーガの前記回転軸との間に配置されている、請求項３４記載の混合機装置。
【請求項３７】
前記原動車は前記駆動ピニオンであり、
前記駆動ピニオンは複数の歯を有しており、
前記最終従動車は、前記駆動ピニオンが回転した時に、前記最終従動車およびオーガが回転するように、前記駆動ピニオンの前記複数の歯と噛合する歯を有する歯車であり、
前記混合機装置は、
別の最終従動車をさらに含み、前記別の最終従動車は、前記最終従動車によって駆動される別の歯を有する別の歯車であり、それによって、前記駆動ピニオンが回転した時に、前記最終従動車およびオーガが回転し、かつ前記別の最終従動車および前記別のオーガが回転する、請求項３４記載の混合機装置。
【請求項３８】
前記原動車は第１の駆動スプロケットであり、
前記混合機装置は、
前記第１の駆動スプロケットに固定され、前記第１の駆動スプロケットに対して同軸に配設されている、第２の駆動スプロケットと、
前記第１の駆動スプロケットおよび前記最終従動車の周囲に係回している駆動装置と、それによって、前記第１の駆動スプロケットが回転した時に、前記駆動装置が前記最終従動車を回転させ、
別の最終従動車と、前記別の最終従動車は別の従動スプロケットであり、
前記第２の駆動スプロケットおよび前記別の最終従動車の周囲に係回している別の駆動装置とをさらに含み、それによって、前記第２の駆動スプロケットが回転した時に、前記別の駆動装置が前記別の最終従動車を回転させる、請求項２７記載の混合機装置。
【請求項３９】
前記駆動装置は第１のローラチェーン駆動装置であり、
前記別の駆動装置は第２のローラチェーン駆動装置である、請求項３８記載の混合機装置。
【請求項４０】
前記複数の車輪は、
第１の車輪と、
前記第１の車輪に対して離間して同軸に配設された第２の車輪と、
前記第１の車輪と前記フレームとの間に配設された第１のロードセルと、
前記第２の車輪と前記フレームとの間に配設された第２のロードセルと、
前記フレームに連結され、前記車輪から離れて配設されたヒッチバーと、
第１の端および第２の端を有する第３のロードセルと、前記第３のロードセルの前記第１の端は前記ヒッチバーに固定されており、
前記第３のロードセルの前記第２の端に取り付けられたＵリンクとを含み、前記Ｕリンクは、前記第３のロードセルの縦軸に関して回転可能であり、この構成は、前記第１、第２および第３のロードセルからの測定値に依存する計量作業中に、側圧および前記第３のロードセルからの測定値の不正確さが低減するように、前記回転可能Ｕリンクが前記混合機装置およびトラクタの傾きの差異に合わせて調整されるようなものである、請求項３記載の混合機装置。
【請求項４１】
家畜飼料等を混合するための混合機装置であって、前記装置は、
その中に飼料を受け入れるための容器と、
前記容器は、
ハウジングおよび、
前記ハウジングから遠方に拡張する壁を備えており、前記壁は、それを通じて飼料を受け入れるための前記ハウジングから離れて配置された開口を画成しており、その構成は、前記ハウジングおよび前記壁が、前記開口により受け入れた飼料のための包囲部をそれらの間に画成するようなものであり、
前記包囲部内に配設されたオーガとを含み、前記オーガは前記ハウジングを通って延長する回転軸を有しており、
前記オーガは、
心と、
前記オーガが回転した時に、前記包囲部内に配置された飼料が混合されるように、前記心に結合されている羽根とを含み、
前記羽根は、
第１の部分と、
前記第１の部分に対して食違いにされている第２の部分とを含み、それによって、前記第１の部分と第２の部分との間で飼料の動きが中断されるようになっている、混合機装置。
【請求項４２】
家畜飼料等を混合するための混合機装置であって、前記装置は、
その中に飼料を受け入れるための容器と、
前記容器は、
ハウジングおよび、
前記ハウジングから遠方に拡張する壁を備えており、前記壁は、それを通じて飼料を受け入れるための前記ハウジングから離れて配置された開口を画成しており、その構成は、前記ハウジングおよび前記壁が、前記開口により受け入れた飼料のための包囲部をそれらの間に画成するようなものであり、
前記包囲部内に配設されたオーガとを含み、前記オーガは前記ハウジングを通って延長する回転軸を有しており、
前記オーガは、
心と、
前記オーガが回転した時に、前記包囲部内に配置された飼料が混合されるように、前記心に結合されている羽根とを含み、
前記羽根は、
内端部および外端部を有しており、前記内端部は前記心に結合されており、前記外端部は、取出し作業の間の前記オーガからの飼料の放出および洗浄が助成されるように、前記ハウジング方向に傾けられている、混合機装置。
【請求項４３】
家畜飼料等を混合するための混合機装置であって、前記装置は、
その中に飼料を受け入れるための容器と、
前記容器は、
ハウジングおよび、
前記ハウジングから遠方に拡張する壁を備えており、前記壁は、それを通じて飼料を受け入れるための前記ハウジングから離れて配置された開口を画成しており、その構成は、前記ハウジングおよび前記壁が、前記開口により受け入れた飼料のための包囲部をそれらの間に画成するようなものであり、
前記包囲部内に配設されたオーガと、前記オーガは前記ハウジングを通って延長する回転軸を有しており、
前記ハウジング内に配設された最終従動車とを含み、前記最終従動車は前記回転軸に関して回転可能であり、前記最終従動車は、前記最終従動車が前記ハウジング内で回転した時に、前記オーガが飼料を混合するためにそれとともに前記包囲部内で回転するように、前記オーガと伝動式に連結されており、
前記最終従動車は少なくとも３フィートの直径を有する、混合機装置。
【請求項４４】
家畜飼料等を混合するための混合機装置であって、前記装置は、
その中に飼料を受け入れるための容器と、
前記容器は、
ハウジングおよび、
前記ハウジングから遠方に拡張する壁を備えており、前記壁は、それを通じて飼料を受け入れるための前記ハウジングから離れて配置された開口を画成しており、その構成は、前記ハウジングおよび前記壁が、前記開口により受け入れた飼料のための包囲部をそれらの間に画成するようなものであり、
前記包囲部内に配設されたオーガと、前記オーガは前記ハウジングを通って延長する回転軸を有しており、
前記ハウジング内に配設された最終従動車とを含み、前記最終従動車は前記回転軸に関して回転可能であり、前記最終従動車は、前記最終従動車が前記ハウジング内で回転した時に、前記オーガが飼料を混合するためにそれとともに前記包囲部内で回転するように、前記オーガと伝動式に連結されており、
前記最終従動車は歯車であり、
前記歯車は複数の歯を備えており、
前記混合機装置は、
前記オーガの前記回転軸とほぼ平行に離間して配置されている別の回転軸を有する原動車と、前記原動車は前記最終従動車を駆動し、
前記原動車は駆動ピニオンであり、
前記駆動ピニオンは別の複数の歯を有しており、
前記従動車の前記歯は、前記駆動ピニオンが回転した時に前記最終従動車および前記オーガが回転するように、前記駆動ピニオンの前記別の歯と噛合するものであり、
前記駆動ピニオンの前記別の歯および前記最終従動車の前記歯の近傍に配設されたガイドとをさらに含み、この構成は、前記歯が噛合する時に、前記噛合する歯が噛合関係に前記ガイドによって案内されるようなものである、混合機装置。
【請求項４５】
家畜飼料等を混合するための混合機装置であって、前記装置は、
その中に飼料を受け入れるための容器と、
前記容器は、
ハウジングおよび、
前記ハウジングから遠方に拡張する壁を備えており、前記壁は、それを通じて飼料を受け入れるための前記ハウジングから離れて配置された開口を画成しており、その構成は、前記ハウジングおよび前記壁が、前記開口により受け入れた飼料のための包囲部をそれらの間に画成するようなものであり、
前記包囲部内に配設されたオーガとを含み、前記オーガは前記ハウジングを通って延長する回転軸を有しており、
前記混合機装置は、
前記包囲部内に配設された別のオーガと、前記別のオーガは、前記オーガの前記回転軸から離間してほぼ平行に配置された回転軸を有しており、
前記オーガおよび前記別のオーガに共通な原動車とをさらに含み、前記原動車は、前記オーガの前記回転軸および前記別のオーガの前記回転軸に対してほぼ平行に離間して配置されている別の回転軸を有する、混合機装置。
【請求項４６】
家畜飼料等を混合するための混合機装置であって、前記装置は、
その中に飼料を受け入れるための容器と、
前記容器は、
ハウジングおよび、
前記ハウジングから遠方に拡張する壁を備えており、前記壁は、それを通じて飼料を受け入れるための前記ハウジングから離れて配置された開口を画成しており、その構成は、前記ハウジングおよび前記壁が、前記開口により受け入れた飼料のための包囲部をそれらの間に画成するようなものであり、
前記包囲部内に配設されたオーガとを含み、前記オーガは前記ハウジングを通って延長する回転軸を有しており、
前記容器は、
それに前記ハウジングを支持するためのフレームと、
前記混合機装置の運搬を可能にするために前記フレームに回転可能に固定された複数の車輪と、
トラクタ等による前記混合機装置の運搬を助成するために前記フレームに固定されたヒッチバーとをさらに含み、
前記複数の車輪は、
第１の車輪と、
前記第１の車輪に対して離間して同軸に配設された第２の車輪と、
前記第１の車輪と前記フレームとの間に配設された第１のロードセルと、
前記第２の車輪と前記フレームとの間に配設された第２のロードセルと、
前記ヒッチバーは前記車輪から離れて配設されており、
第１の端および第２の端を有する第３のロードセルと、前記第３のロードセルの前記第１の端は前記ヒッチバーに固定されており、
前記第３のロードセルの前記第２の端に取り付けられたＵリンクとを含み、前記Ｕリンクは、前記第３のロードセルの縦軸に関して回転可能であり、この構成は、前記第１、第２および第３のロードセルからの測定値に依存する計量作業中に、側圧および前記第３のロードセルからの測定値の不正確さが低減するように、前記回転可能Ｕリンクが前記混合機装置およびトラクタの傾きの差異に合わせて調整されるようなものである、混合機装置。
【請求項４７】
家畜飼料等を混合するための混合機装置であって、前記装置は、
その中に飼料を受け入れるための容器と、
前記容器は、
ハウジングおよび、
前記ハウジングから遠方に拡張する壁を備えており、前記壁は、それを通じて飼料を受け入れるための前記ハウジングから離れて配置された開口を画成しており、その構成は、前記ハウジングおよび前記壁が、前記開口により受け入れた飼料のための包囲部をそれらの間に画成するようなものであり、
前記包囲部内に配設されたオーガと、前記オーガは前記ハウジングを通って延長する回転軸を有しており、
前記ハウジング内に配設された最終従動車とを含み、前記最終従動車は前記回転軸に関して回転可能であり、前記最終従動車は、前記最終従動車が前記ハウジング内で回転した時に、前記オーガが飼料を混合するためにそれとともに前記包囲部内で回転するように、前記オーガと伝動式に連結されており、
前記ハウジングは、
前記オーガと前記最終従動車との間に配設された床とを含み、前記床は前記最終従動車への直接アクセスを可能にするために取外し可能である、混合機装置。
【発明の詳細な説明】
【０００１】
（発明の背景）
（１．発明の分野）
本発明は、家畜飼料を混合するための混合機装置に関する。より詳細には、本発明は、少なくとも１つのオーガを有する垂直オーガ混合機に関する。
【０００２】
（２．情報開示の陳述）
牧畜業は、以後の配給のために各種家畜飼料の混合を必要とする。さらに、混合機は、堆肥などの他の原材料を混合するためにも使用され得る。時には、飼料のそのような混合は、他の添加物とともに少なくとも１梱の干し草を混合機容器に投入することを含む。容器内の原材料は容器内で回転する少なくとも１つのオーガによって混合され、その結果、容器の内容物のよく混ざった混合物が得られる。多くの混合機は、容器に沿って縦方向に拡張する１対の水平の相互作用するオーガを使用しているが、単数または複数のオーガが垂直に配設されているいくつかの混合機も提起されている。
【０００３】
垂直オーガ形式の従来技術の混合機では、そうした混合機は時に、オーガの回転軸が相互に対して平行かつ離間して配置されている１対のオーガを備えることがある。さらに、そのようなオーガの各々は、下からオーガのそれぞれに回転運動を与える別個の駆動装置によって駆動される。
【０００４】
また、一部の混合機は単一のオーガを有する。しかし、上述のツインオーガ混合機は、以下の欠点を有する。第一に、２つの直角駆動装置および関係する遊星減速歯車箱の装備は、極めて高価であり、多数の部品の製造を伴う。第二に、そのような歯車箱へのアクセスは、混合機の下からの歯車箱の取外しおよび、その後の当該歯車箱の分解を必要とする。第三に、オーガは、飼料のより少ない撹拌を付与する連続羽根を備える。第四に、混合作業の終わりに、操作者は通常、オーガがきれいになるようにオーガから原材料を遠心作用で飛ばそうとして動力取出し装置の回転速度を上げる必要があることを知っているはずである。第五に、混合する原材料を計量する際に、混合機が不整地にある場合、不正確な測定が行われる。そのような不正確さは主に、ロードセルがドローバーの連結部に配設されている場合に、混合機が傾いていると、その表示は垂直重量よりもベクトルを反映するという理由に起因する。前述の欠点のほとんどは、単一オーガ混合機にも当てはまり、遊星歯車箱および他の部品を装備するコストは相当である。
【０００５】
本発明は、従来技術の構成に関係する上述した問題のすべてを克服する垂直オーガ混合機装置を提供する。
【０００６】
従って、本発明の主たる特徴は、従来技術の垂直オーガ混合機に関係する上述した問題を克服し、動物の飼料等を混合する技術に対し著しい貢献をなす、混合機装置を提供することである。
【０００７】
本発明の別の特徴は、その製造コストを低減する混合機装置の提供である。
【０００８】
本発明の別の特徴は、関係する従動歯車とともに単数または複数のオーガの垂直方向の取外しを可能にする混合機装置の提供である。
【０００９】
本発明の別の特徴は、家畜飼料の混合を増強する混合機装置の提供である。
【００１０】
本発明のさらに別の特徴は、混合作業の後にオーガの清掃を助成する混合機装置の提供である。
【００１１】
本発明の別の特徴は、家畜飼料を計量するためのより正確な手段を備える混合機装置の提供である。
【００１２】
本発明の各種実施形態の説明全体にわたり、用語「オーガ」は、パドル構成を包含し、その羽根は、連続または不連続とすることができ、分割オーガを含み得る、スクリューおよび／またはらせん形式の構成を含むと理解するべきである。また、本発明の説明および請求項全体にわたり、用語「動物飼料」は、混合を要する堆肥および他の原材料を含むものとして理解されなければならない。
【００１３】
本発明に従った混合機装置の他の特徴および利益は、ここに包含された本発明の好ましい実施形態の詳細な説明の検討によって、当業者には容易に明白となるであろう。
【００１４】
（開示の要約）
本発明は、家畜飼料等を混合するための混合機装置に関する。本発明の１つの特徴によれば、装置は、飼料をその中に受け入れるための容器を含む。容器は、ハウジングおよび、ハウジングから遠方に拡張する壁を含む。壁は、それを通じて飼料を受け入れるためのハウジングから離れて配置されている開口を画成している。その構成は、ハウジングおよび壁が、開口により受け入れた飼料のための包囲部をそれらの間に画成するようなものである。包囲部内にはオーガが配設されており、オーガはハウジングを通って延長する回転軸を有する。最終従動車がハウジング内に配設されており、最終従動車は回転軸に関して回転可能である。最終従動車は、最終従動車がハウジング内で回転した時に、オーガがそれとともに包囲部内で回転するように、オーガと伝動式に連結されている。ユニットとして一体の最終従動車およびオーガは、それぞれハウジングおよび包囲部に対して取外しおよび交換可能である。その構成は、最終従動車およびオーガがユニットとして一体に取外された時に、最終従動車への直接アクセスが可能となるようなものである。
【００１５】
本発明のより特定的な実施形態において、容器は、それにハウジングを支持するためのフレームをさらに含む。容器はまた、混合機装置の運搬を可能にするためにフレームに回転可能に固定されている複数の車輪も含む。さらに、容器は、トラクタ等による混合機装置の運搬を助成するためにフレームに固定されているヒッチバーを含む。
【００１６】
本発明の別の特徴において、ハウジングは、底部および、第１および第２の端を有するリムを含む。リムの第１の端は底部に固定されている。オーガと最終従動車との間に床が配設されており、床はリムの第２の端に固定されており、それによって、底部、リムおよび床がそれらの間に最終従動車のためのケース部を画成する。さらに、床は、それを通じて最終従動車の取外しおよび交換を可能にするためのアクセス穴を画成している。床は、アクセス穴を覆うためのカバーを含む。カバーは、最終従動車によるオーガの駆動が可能になるように回転軸がそれを貫き延長する開口を画成している。さらに、カバーは、開口を通り拡張する軸受を含む。軸受は、最終従動車が駆動している時にオーガおよび最終従動車の回転を可能にするためにオーガおよび最終従動車を軸受として支持するためにオーガと最終従動車との間に配設されている。
【００１７】
本発明の好ましい実施形態において、床は、アクセス穴の周囲に配置されたボアの配列を画成し、カバーは、複数の穴を画成する周縁部を有する。複数の締結具は、個々の締結具が、カバーを床に脱着可能に固定するために、複数の穴のうちの穴と、ボアの配列のうちの整列したボアとを貫き延長するように構成されている。ケース部は、最終従動車を潤滑するための潤滑剤で満たされている。また、壁はハウジングから角度をつけて遠方に拡張している。好ましくは、壁は、それを通じて飼料を放出するための放出口を画成している。放出口は、開く扉および、包囲部から飼料を遠方に移動させるための少なくとも１つの回転エキスペラを含む。代替的に、放出口は、扉および、包囲部から飼料を遠方に運ぶためのコンベヤを含む。さらなる代替構成において、放出口は扉だけを含む。
【００１８】
本発明の別の特徴において、オーガは心を含み、羽根は、オーガが回転した時に包囲部内に配置された飼料が混合されるように心に結合されている。心は円筒形構成をしており、羽根は心の周囲にらせん状に配設されている。より詳細には、羽根は、第１の部分および、第１の部分に対して食違いにされている第２の部分を含み、それによって、第１の部分および第２の部分の間で飼料の動きが中断される。第１の部分は第１の端および第２の端を有し、第１の端はハウジングに隣接して配置されている。第２の部分は、第１の先端および第２の先端を有しており、第１の先端は、第１の部分の第２の端に対して隣合って離間した関係で配置されている。
【００１９】
本発明の別の実施形態では、第１の部分はパドルであり、第２の部分は別のパドルである。
【００２０】
本発明の別の特徴によれば、羽根は、内端部および外端部を有しており、内端部は心に結合されている。外端部は、取出し作業の間のオーガからの飼料の放出および洗浄が助成されるように、ハウジング方向に傾けられている。
【００２１】
また、最終従動車は歯車であり、歯車は複数の直歯を含む。本発明の好ましい実施形態において、歯車は少なくとも３フィートの直径を有する。
【００２２】
本発明の別の実施形態では、最終従動車は従動スプロケットである。
【００２３】
混合機装置はまた、オーガの回転軸とほぼ平行に離間して配置されている別の回転軸を有する原動車も含み、原動車は最終従動車を駆動する。
【００２４】
本発明の好ましい実施形態において、原動車は、複数の歯を有する駆動ピニオンである。また、最終従動車は、駆動ピニオンが回転した時に最終従動車およびオーガが回転するように、駆動ピニオンの複数の歯と噛合する歯を有する歯車である。床はオーガと最終従動車との間に配設されており、床はリムの第２の端に固定されており、それによって、底部、リムおよび床がそれらの間に最終従動車のためのケース部を画成する。また、床および底部はさらに、駆動ピニオンをその中に受け入れるための空洞を画成している。混合機装置は、空洞内で駆動ピニオンを回転可能に支持するために底部に固定されている駆動ピニオン軸受をさらに含む。駆動軸が駆動ピニオンに固定されており、駆動軸は、駆動軸が回転した時に、駆動ピニオン、最終従動車およびオーガが回転するように、ハウジングを通って延長している。
【００２５】
代替的に、駆動ピニオン軸受は床に固定される。
【００２６】
本発明の別の特徴において、混合機装置は、駆動ピニオンの複数の歯および最終従動車の歯の近傍に配設されたガイドをさらに含む。この構成は、複数の歯が最終従動車の歯と噛合する時に、噛合する歯がガイドによって噛合関係に案内されるようなものである。ガイドは、駆動ピニオンに固定されており、駆動ピニオンと底部との間に配設されている。
【００２７】
代替的に、ガイドは駆動ピニオンと床との間に配設される。
【００２８】
別の代替構成において、ガイドは最終従動車に固定される。
【００２９】
本発明の別の特徴において、別のオーガが包囲部内に配設されており、別のオーガは、オーガの回転軸から離間してほぼ平行に配置された回転軸を有する。原動車は、オーガおよび別のオーガに共通であり、原動車は、オーガの回転軸および別のオーガの回転軸に対してほぼ平行に離間して配置されている別の回転軸を有する。原動車の別の回転軸は、オーガの回転軸と別のオーガの回転軸との間に配置されている。
【００３０】
本発明の別の実施形態において、オーガの回転軸は、原動車の別の回転軸と別のオーガの回転軸との間に配置されている。さらに、原動車は駆動ピニオンであり、駆動ピニオンは複数の歯を有する。最終従動車は、駆動ピニオンが回転した時に、最終従動車およびオーガが回転するように、駆動ピニオンの複数の歯と噛合する歯を有する歯車である。混合機装置は、別の最終従動車をさらに含み、別の最終従動車は、最終従動車の複数の歯によって駆動される別の歯を有する別の歯車である。この構成は、駆動ピニオンが回転した時に、最終従動車およびオーガが回転し、かつ別の最終従動車および別のオーガが回転するようなものである。
【００３１】
本発明の別の特徴において、原動車は第１の駆動スプロケットである。混合機装置は、第１の駆動スプロケットに固定され、第１の駆動スプロケットに対して同軸に配設されている、第２の駆動スプロケットをさらに含む。第１の駆動スプロケットおよび最終従動車の周囲に駆動装置が係回しており、それにより、第１の駆動スプロケットが回転した時に、駆動装置が最終従動車を回転させる。また、別の最終従動車は別の従動スプロケットである。第２の駆動スプロケットおよび別の最終従動車の周囲に別の駆動装置が係回しており、それにより、第２の駆動スプロケットが回転した時に、別の駆動装置が別の最終従動車を回転させる。駆動装置は第１のローラチェーン駆動装置であり、別の駆動装置は第２のローラチェーン駆動装置である。
【００３２】
本発明のさらに別の態様において、複数の車輪は、第１の車輪および、第１の車輪に対して離間して同軸に配設されている第２の車輪を含む。第１のロードセルが第１の車輪とフレームとの間に配設されており、第２のロードセルが第２の車輪とフレームとの間に配設されている。ヒッチバーが、フレームに連結され、車輪から離れて配設されている。第３のロードセルは、第１の端および第２の端を有しており、第３のロードセルの第１の端はヒッチバーに固定されている。Ｕリンクが第３のロードセルの第２の端に取り付けられており、Ｕリンクは、第３のロードセルの縦軸に関して回転可能である。この構成は、第１、第２および第３のロードセルからの測定値に依存する計量作業中に、側圧および第３のロードセルからの測定値の不正確さが低減するように、回転可能Ｕリンクが混合機装置およびトラクタの傾きの差異に合わせて調整されるようなものである。
【００３３】
本発明の第１の態様において、家畜飼料等を混合するための混合機装置は、飼料をその中に受け入れるための容器を含む。容器は、ハウジングおよび、ハウジングから遠方に拡張する壁を含み、壁は、それを通じて飼料を受け入れるためのハウジングから離れて配置された開口を画成している。その構成は、ハウジングおよび壁が、開口により受け入れた飼料のための包囲部をそれらの間に画成するようなものである。包囲部内にはオーガが配設されており、オーガはハウジングを通って延長する回転軸を有する。
【００３４】
オーガは、心および、オーガが回転した時に包囲部内に配置された飼料が混合されるように心に結合された羽根を含む。羽根は、第１の部分および、第１の部分に対して食違いにされている第２の部分を含み、それによって、第１の部分と第２の部分との間で飼料の動きが中断される。
【００３５】
本発明の第２の態様において、家畜飼料等を混合するための混合機装置は、飼料をその中に受け入れるための容器を含む。容器は、ハウジングおよび、ハウジングから遠方に拡張する壁を含み、壁は、それを通じて飼料を受け入れるためのハウジングから離れて配置された開口を画成している。その構成は、ハウジングおよび壁が、開口により受け入れた飼料のための包囲部をそれらの間に画成するようなものである。包囲部内にはオーガが配設されており、オーガはハウジングを通って延長する回転軸を有する。
【００３６】
オーガは、心および、オーガが回転した時に包囲部内に配置された飼料が混合されるように心に結合された羽根を含む。羽根は、内端部および外端部を備える。内端部は心に結合されており、外端部は、取出し作業の間のオーガからの飼料の放出および洗浄が助成されるように、ハウジング方向に傾けられている。
【００３７】
本発明の第３の態様において、家畜飼料等を混合するための混合機装置は、飼料をその中に受け入れるための容器を含む。容器は、ハウジングおよび、ハウジングから遠方に拡張する壁を含み、壁は、それを通じて飼料を受け入れるためのハウジングから離れて配置された開口を画成している。その構成は、ハウジングおよび壁が、開口により受け入れた飼料のための包囲部をそれらの間に画成するようなものである。包囲部内にはオーガが配設されており、オーガはハウジングを通って延長する回転軸を有する。
【００３８】
最終従動車がハウジング内に配設されており、最終従動車は回転軸に関して回転可能である。最終従動車は、最終従動車がハウジング内で回転した時に、オーガがそれとともに包囲部内で回転するように、オーガと伝動式に連結されている。最終従動車は少なくとも３フィートの直径を有する。
【００３９】
本発明の第４の態様において、家畜飼料等を混合するための混合機装置は、飼料をその中に受け入れるための容器を含む。容器は、ハウジングおよび、ハウジングから遠方に拡張する壁を含み、壁は、それを通じて飼料を受け入れるためのハウジングから離れて配置された開口を画成している。その構成は、ハウジングおよび壁が、開口により受け入れた飼料のための包囲部をそれらの間に画成するようなものである。包囲部内にはオーガが配設されており、オーガはハウジングを通って延長する回転軸を有する。
【００４０】
最終従動車がハウジング内に配設されており、最終従動車は回転軸に関して回転可能であり、最終従動車は、最終従動車がハウジング内で回転した時に、オーガがそれとともに包囲部内で回転するように、オーガと伝動式に連結されている。最終従動車は複数の歯を有する歯車である。混合機装置は、オーガの回転軸とほぼ平行に離間して配置されている別の回転軸を有する原動車をさらに含み、原動車は最終従動車を駆動する。原動車は別の複数の歯を有する駆動ピニオンである。従動車の歯は、駆動ピニオンが回転した時に最終従動車およびオーガが回転するように、駆動ピニオンの別の歯と噛合する。駆動ピニオンの別の歯および最終従動車の歯の近傍にガイドが配設されている。この構成は、歯が噛合する時に、噛合する歯がガイドによって噛合関係に案内されるようなものである。
【００４１】
本発明の第５の態様において、家畜飼料等を混合するための混合機装置は、飼料をその中に受け入れるための容器を含む。容器は、ハウジングおよび、ハウジングから遠方に拡張する壁を含み、壁は、それを通じて飼料を受け入れるためのハウジングから離れて配置された開口を画成している。その構成は、ハウジングおよび壁が、開口により受け入れた飼料のための包囲部をそれらの間に画成するようなものである。包囲部内にはオーガが配設されており、オーガはハウジングを通って延長する回転軸を有する。
【００４２】
混合機装置は、包囲部内に配設されている別のオーガを含み、別のオーガは、オーガの回転軸から離間してほぼ平行に配置された回転軸を有する。原動車がオーガおよび別のオーガに共通であり、原動車は、オーガの回転軸および別のオーガの回転軸に対してほぼ平行に離間して配置されている別の回転軸を有する。
【００４３】
本発明の第６の態様において、家畜飼料等を混合するための混合機装置は、飼料をその中に受け入れるための容器を含む。容器は、ハウジングおよび、ハウジングから遠方に拡張する壁を含み、壁は、それを通じて飼料を受け入れるためのハウジングから離れて配置された開口を画成している。その構成は、ハウジングおよび壁が、開口により受け入れた飼料のための包囲部をそれらの間に画成するようなものである。包囲部内にはオーガが配設されており、オーガはハウジングを通って延長する回転軸を有する。
【００４４】
容器は、それにハウジングを支持するためのフレームおよび、混合機装置の運搬を可能にするためにフレームに回転可能に固定された複数の車輪をさらに含む。ヒッチバーが、トラクタ等による混合機装置の運搬を助成するためにフレームに固定されている。複数の車輪は、第１の車輪および、第１の車輪に対して離間して同軸に配設された第２の車輪を含む。第１のロードセルが第１の車輪とフレームとの間に配設されており、第２のロードセルが第２の車輪とフレームとの間に配設されている。ヒッチバーは車輪から離れて配設されている。第３のロードセルは、第１の端および第２の端を有しており、第３のロードセルの第１の端はヒッチバーに固定されている。Ｕリンクが第３のロードセルの第２の端に取り付けられており、Ｕリンクは、第３のロードセルの縦軸に関して回転可能である。この構成は、第１、第２および第３のロードセルからの測定値に依存する計量作業中に、側圧および第３のロードセルからの測定値の不正確さが低減するように、回転可能Ｕリンクが混合機装置およびトラクタの傾きの差異に合わせて調整されるようなものである。
【００４５】
本発明の第７の態様において、家畜飼料等を混合するための混合機装置は、飼料をその中に受け入れるための容器を含む。容器は、ハウジングおよび、ハウジングから遠方に拡張する壁を含み、壁は、それを通じて飼料を受け入れるためのハウジングから離れて配置された開口を画成している。その構成は、ハウジングおよび壁が、開口により受け入れた飼料のための包囲部をそれらの間に画成するようなものである。包囲部内にはオーガが配設されており、オーガはハウジングを通って延長する回転軸を有する。最終従動車がハウジング内に配設されており、最終従動車は回転軸に関して回転可能である。最終従動車は、最終従動車がハウジング内で回転した時に、オーガが飼料を混合するためにそれとともに包囲部内で回転するように、オーガと伝動式に連結されている。
【００４６】
ハウジングは、オーガと最終従動車との間に配設された床とを含み、床は最終従動車への直接アクセスを可能にするために取外し可能である。
【００４７】
本発明の多くの修正および変更は、本発明の好ましい実施形態を示す添付図面と連係してなされる本書に含まれた詳細な説明の検討によって、当業者には容易に明白となるはずである。しかし、そのような修正および変更は、添付請求項によって規定される本発明の精神および範囲に該当する。
【００４８】
同様の引用符号は本発明の様々な実施形態全体にわたり同様の部品を指示する。
【００４９】
（図面の詳細な説明）
図１は、家畜飼料等１２を混合するための全体として１０で指示された混合機装置の斜視図である。装置１０は、飼料１２をその中に受け入れるための容器１４を含む。容器１４は、全体として１６で指示されたハウジングおよび、ハウジング１６から遠方に拡張する壁１８を含む。壁１８は、それを通じて飼料１２を受け入れるためのハウジング１６から離れて配置されている開口２０を画成している。その構成は、ハウジング１６および壁１８が、開口２０により受け入れた飼料１２のための包囲部２２をそれらの間に画成するようなものである。包囲部２２内にはオーガ２４が配設されており、オーガ２４はハウジング１６を通って延長する回転軸２６を有する。最終従動車２８がハウジング１６内に配設されており、最終従動車２８は回転軸２６に関して矢印３０により示す通り回転可能である。最終従動車２８は、最終従動車２８がハウジング１６内で回転した時に、オーガ２４がそれとともに包囲部２２内で回転するように、オーガ２４と伝動式に連結されている。全体として３２で指示されたユニットとして一体の最終従動車２８およびオーガ２４は、それぞれハウジング１６および包囲部２２に対して取外しおよび交換可能である。その構成は、最終従動車２８およびオーガ２４がユニット３２として一体に取外された時に、最終従動車２８への直接アクセスが可能となるようなものである。
【００５０】
図１に図示するように、容器１４は、それにハウジング１６を支持するためのフレーム３４をさらに含む。容器１４はまた、混合機装置１０の運搬を可能にするためにフレーム３４に回転可能に固定されている複数の車輪３６および３８も含む。さらに、容器１４は、トラクタ等（図示せず）による混合機装置１０の運搬を助成するためにフレーム３４に固定されているヒッチバー４０を含む。
【００５１】
また、図１に図示するように、ハウジング１６は、底部４２および、それぞれ第１および第２の端４６および４８を有するリム４４を含む。リム４４の第１の端４６は底部４２に固定されている。オーガ２４と最終従動車２８との間に床５０が配設されており、床５０はリム４４の第２の端４８に固定されており、それによって底部４２、リム４４および床５０がそれらの間に最終従動車２８のためのケース部５２を画成する。さらに、床５０は、それを通じて最終従動車２８の取外しおよび交換を可能にするためのアクセス穴５４を画成している。床５０は、図１では明確さのために取外されているカバー５６を含む。カバー５６は、アクセス穴５４を覆うためのものである。
【００５２】
図２は、図１に示された混合機装置の側立面図である。図２に図示するように、カバー５６は、最終従動車２８によるオーガ２４の駆動が可能になるように回転軸２６がそれを貫き延長する開口５８を画成している。さらに、カバー５６は、開口５８を通り拡張する軸受６０を含み、軸受６０は、最終従動車２８が駆動している時にオーガ２４および最終従動車２８の回転を可能にするためにオーガ２４および最終従動車２８を軸受として支持するためにオーガ２４と最終従動車２８との間に配設されている。
【００５３】
また図１および２に図示するように、床５０は、アクセス穴５４の周囲に配置されたボア６２、６３および６４の配列を画成している。
【００５４】
図３は、図２に示された装置１０の上面図である。図３に図示するように、カバー５６は、複数の穴６８、６９および７０を画成する周縁部６６を有する。複数の締結具７２、７３および７４は、締結具７２といった個々の締結具が、カバー５６を床５０に脱着可能に固定するために、複数の穴６８〜７０のうちの穴６８といった穴と、図１に示されたボア６２〜６４の配列のうちのボア６２といった整列したボアとを貫き延長するように構成されている。ケース部５２は、図２に図示するように、最終従動車２８を潤滑するための潤滑剤７６で満たされている。
【００５５】
また、図１〜３に図示するように、壁１８はハウジング１６から角度をつけて遠方に拡張している。好ましくは、壁１８は、それを通じて飼料１２を放出するための図３に示された放出口７８を画成している。放出口７８は、扉７９および、包囲部２２から飼料１２を遠方に移動させるための少なくとも１つの回転エキスペラ８０を含む。
【００５６】
図４は、本発明の代替実施形態の上面図である。図４に図示するように、放出口７８ａは、包囲部２２ａから飼料１２ａを遠方に運ぶためのコンベヤ８２および、放出口７８ａに対して可動である扉７９ａを含む。
【００５７】
図２に図示するような本発明の別の特徴において、オーガ２４は心８４を含み、全体として８６で指示される羽根は、オーガ２４が図１に図示する矢印８８により示されるように回転した時に、包囲部２２内に配置された飼料１２が混合されるように、心８４に結合されている。心８４は円筒形構成をしており、羽根８６は心８４の周囲にらせん状に配設されている。より詳細には、図２に図示するように、羽根８６は、第１の部分９０および、第１の部分９０に対して食違いにされている第２の部分９２を含み、それぞれ第１の部分９０および第２の部分９２の間で矢印９４により示されるような飼料１２の動きが中断されるようになっている。第１の部分９０はそれぞれ第１および第２の端９６および９８を有し、渦巻状構成である。第１の端９６は、ハウジング１６に隣接して配置されている。第２の部分９２は、それぞれ第１の先端および第２の先端１００および１０２を有しており、第１の先端１００は、第１の部分９０の第２の端９８に対して隣合って離間した関係で配置されている。第２の部分９２もまた渦巻状構成である。当業者は、本発明の精神および概念を逸脱することなく、心８４が円錐形構成または方形断面構成とし得ることを理解するであろう。
【００５８】
図５は、本発明の別の実施形態の側立面図である。図５に図示するように、オーガ２４ｂは、パドル９１である第１の部分９０ｂおよび、別のパドル９３である第２の部分９２ｂを含む。別のパドル９３は、図５に図示する通り、パドル９１と食違い関係で配設されている。また、図５に図示するように、パドル９１および９３の両者はオーガ２４ｂの心８４ｂから突出している。
【００５９】
図６は、図２に示されたオーガ２４の拡大側立面図である。図６に図示するように、羽根８６は、内端部１０４および外端部１０６を有しており、内端部１０４は心８４に結合されている。外端部１０６は、取出し作業の間のオーガ２４からの飼料１２の放出および洗浄が助成されるように、ハウジング１６方向に傾けられている。
【００６０】
図７は、図１に示された最終従動車２８の拡大上面図である。図７に図示するように、最終従動車２８は歯車である。歯車２８は複数の直歯１０８、１０９および１１０を含む。本発明の好ましい実施形態において、歯車２８は少なくとも３フィートの直径Ｄを有する。
【００６１】
図８は、本発明の代替実施形態の図７と同様の上面図である。図８に図示するように、最終従動車２８ｃは、従動スプロケット歯１０８ｃ、１０９ｃおよび１１０ｃを備える従動スプロケットである。また、図８に図示するように、原動車１１２ｃは、駆動チェーン１４８ｃによって従動車２８ｃを駆動するための歯１１６ｃを有するスプロケットである。
【００６２】
図１に図示するように、装置１０はまた、オーガ２４の回転軸２６とほぼ平行に離間して配置されている別の回転軸１１４を有する原動車１１２も含み、原動車１１２は最終従動車２８を駆動する。より詳細には、原動車１１２は、複数の歯１１６、１１７および１１８を有する駆動ピニオンである。最終従動車２８は、駆動ピニオン１１２が矢印１２０により示されるように回転した時に最終従動車２８およびオーガ２４が回転するように、駆動ピニオン１１２の複数の歯１１６〜１１８と噛合する図７に図示する通り歯１０８〜１１０を有する歯車である。床５０はオーガ２４と最終従動車２８との間に配設されており、床５０はリム４４の第２の端４８に固定されており、それによって、底部４２、リム４４および床５０がそれらの間に最終従動車２８のためのケース部５２を画成する。また、図２に図示するように、床５０および底部４２はさらに、駆動ピニオン１１２をその中に受け入れるための空洞１２２を画成する。混合機装置１０は、空洞１２２内で駆動ピニオン１１２を回転可能に支持するために底部４２に固定されている駆動ピニオン軸受１２４をさらに含む。駆動軸１２６が駆動ピニオン１１２に固定されており、駆動軸１２６は、駆動軸１２６が矢印１２８により示されるように回転した時に、駆動ピニオン１１２、最終従動車２８およびオーガ２４が回転するように、ハウジング１６を通って延長している。
【００６３】
図７は、駆動ピニオン１１２および従動車２８の拡大図である。図７に図示するように、混合機装置１０は、駆動ピニオン１１２の複数の歯１１６〜１１８および最終従動車２８の歯１０８〜１１０の近傍に配設されたガイド１３０をさらに含む。この構成は、複数の歯１１６〜１１８が最終従動車２８の歯１０８〜１１０と噛合する時に、噛合する歯１０８〜１１０および１１６〜１１８が、図２に図示するようにガイド１３０による噛合関係にガイド１３０によって案内されるようなものである。ガイド１３０は、駆動ピニオン１１２に固定されており、図２に図示するように駆動ピニオン１１２と底部４２との間に配設されている。
【００６４】
図９は、本発明の別の実施形態の上面図である。図９に図示するように、別のオーガ１３６が包囲部２２ｄ内に配設されており、別のオーガ１３６は、オーガ２４ｄの回転軸２６ｄから離間してほぼ平行に配置された回転軸１３８を有する。
【００６５】
図９は、本発明の別の特徴の部分断面上面図である。図９に図示するように、原動車１１２ｄは、オーガ２４ｄおよび別のオーガ１３６に共通である。図９にはその一部が示されている原動車１１２ｄは、オーガ２４ｄの回転軸２６ｄおよび別のオーガ１３６の回転軸１３８に対してほぼ平行に離間して配置されている別の回転軸１１４ｄを有する。原動車１１２ｄの別の回転軸１１４ｄは、オーガ２４ｄの回転軸２６ｄと別のオーガ１３６の回転軸１３８との間に配置されている。
【００６６】
図１０は、本発明の別の実施形態の上から見た略図である。図１０に図示するように、オーガ２４ｅおよび最終従動車２８ｅの回転軸２６ｅは、原動車１１２ｅの別の回転軸１１４ｅと別のオーガ１３６ｅの回転軸１３８ｅとの間に配置されている。原動車１１２ｅは駆動ピニオンであり、この駆動ピニオンは複数の歯１１６ｅ〜１１８ｅを有する。最終従動車２８ｅは、駆動ピニオン１１２ｅが回転した時に、最終従動車２８ｅおよびオーガ２４ｅが回転するように、駆動ピニオン１１２ｅの複数の歯１１６ｅ〜１１８ｅと噛合する歯１０８ｅ〜１１０ｅを有する歯車である。
【００６７】
図１０に図示するように、混合機装置１０ｅは別の最終従動車１４０をさらに含み、別の最終従動車１４０は、従動車２８ｅの複数の歯１０８ｅ〜１１０ｅによって駆動される別の歯１４２、１４３および１４４を有する別の歯車である。この構成は、駆動ピニオン１１２ｅが回転した時に、最終従動車２８ｅおよびオーガ２４ｅが回転し、かつ別の最終従動車１４０および別のオーガ１３６ｅが回転するようなものである。図１０に図示するように、車２８ｅおよび１４０の間には歯車１４１が配設されている。
【００６８】
図１１は、本発明の別の実施形態の上面図である。図１１に図示するように、原動車１１２ｆが第１の駆動スプロケットである。
【００６９】
図１２は、図１１の線１２−１２で得た断面図である。図１２に図示するように、混合機装置１０ｆは、第１の駆動スプロケット１１２ｆに固定され、第１の駆動スプロケット１１２ｆに対して同軸に配設されている、第２の駆動スプロケット１４６をさらに含む。第１の駆動スプロケット１１２ｆおよび最終従動車２８ｆの周囲に駆動装置１４８ｆが係回しており、それにより、第１の駆動スプロケット１１２ｆが回転した時に、駆動装置１４８ｆが最終従動車２８ｆを回転させる。また、別の最終従動車１４０ｆは別の従動スプロケットである。第２の駆動スプロケット１４６および別の最終従動車１４０ｆの周囲に別の駆動装置１５０が係回しており、それにより、第２の駆動スプロケット１４６が回転した時に、別の駆動装置１５０が別の最終従動車１４０ｆを回転させる。駆動装置１４８ｆは第１のローラチェーン駆動装置であり、別の駆動装置１５０は第２のローラチェーン駆動装置である。
【００７０】
図１３は、図３に示された混合機装置１０の下から得た図である。図１３に図示するように、図１に示された複数の車輪３６および３８は、第１の車輪３６および、第１の車輪３６に対して離間して同軸に配設されている第２の車輪３８を含む。図１３に図示するように、第１のロードセル１５２が第１の車輪３６とフレーム３４との間に配設されており、第２のロードセル１５４が第２の車輪３８とフレーム３４との間に配設されている。
【００７１】
図１４は、図１に図示されたように、ヒッチバー４０の拡大斜視図である。図１４に図示するように、ヒッチバー４０は、フレーム３４に連結されており、車輪３６および３８から離れて配設されている。第３のロードセル１５６は、それぞれ第１および第２の端１５８および１６０を有しており、第３のロードセル１５６の第１の端１５８はヒッチバー４０に固定されている。Ｕリンク１６２が第３のロードセル１５６の第２の端１６０に取り付けられており、Ｕリンク１６２は、第３のロードセル１５６の縦軸１６６に関して矢印１６４により示されるように回転可能である。この構成は、第１、第２および第３のロードセル１５２、１５４および１５６からの測定値に依存する計量作業中に、側圧および第３のロードセル１５６からの測定値の不正確さが低減するように、回転可能Ｕリンク１６２が混合機装置１０およびトラクタ（図示せず）の傾きの差異に合わせて調整されるようなものである
【００７２】
図２に図示するような本発明に従った混合機装置１０の動作において、カバー５６は床５０からボルトを抜いて外され、オーガ２４および最終従動車２８は単一のユニットとして上方へ取外されるので、その結果、最終従動車２８および原動車１１２の直接的な点検および修理が可能になる。また、オーガ２４および最終従動車２８を含むユニット３２の再組立も、ユニットを包囲部２２内へ下ろしてから、カバー５６を床５０に再固定することによる、単純な作業である。
【００７３】
本発明は、その製造コストを低減し、その駆動歯車を点検および修理するために容易なアクセスを可能にする混合機を提供する、多くの独自の特徴を有する垂直オーガ混合機を提供する。
【図面の簡単な説明】
【図１】
本発明に従った混合機装置の斜視図である。
【図２】
図１に示された混合機装置の側立面図である。
【図３】
図２に示された混合機装置の上面図である。
【図４】
本発明の代替実施形態の上面図である。
【図５】
本発明の別の実施形態の側立面図である。
【図６】
図２に示されたオーガの拡大側立面図である。
【図７】
図１に示された駆動ピニオンおよび従動車の拡大図である。
【図８】
本発明の代替実施形態の図７と同様の上面図である。
【図９】
本発明の別の実施形態の上面図である。
【図１０】
本発明の別の実施形態の上から見た略図である。
【図１１】
本発明の別の実施形態の上面図である。
【図１２】
図１１の線１２−１２で得た断面図である。
【図１３】
図３に示された混合機装置の下から得た図である。
【図１４】
図１に示すようなヒッチバーの拡大斜視図である。
【国際公開パンフレット】
2004538124.tif 000003
2004538124.tif 000004
2004538124.tif 000005
2004538124.tif 000006
2004538124.tif 000007
2004538124.tif 000008
2004538124.tif 000009
2004538124.tif 000010
2004538124.tif 000011
2004538124.tif 000012
2004538124.tif 000013
2004538124.tif 000014
2004538124.tif 000015
2004538124.tif 000016
2004538124.tif 000017
2004538124.tif 000018
2004538124.tif 000019
2004538124.tif 000020
2004538124.tif 000021
2004538124.tif 000022
2004538124.tif 000023
2004538124.tif 000024
2004538124.tif 000025
2004538124.tif 000026
2004538124.tif 000027
2004538124.tif 000028
2004538124.tif 000029
2004538124.tif 000030
2004538124.tif 000031
2004538124.tif 000032
2004538124.tif 000033
2004538124.tif 000034
2004538124.tif 000035
2004538124.tif 000036
2004538124.tif 000037
2004538124.tif 000038
2004538124.tif 000039
2004538124.tif 000040
2004538124.tif 000041
2004538124.tif 000042
2004538124.tif 000043
2004538124.tif 000044
2004538124.tif 000045
2004538124.tif 000046
2004538124.tif 000047
2004538124.tif 000048
2004538124.tif 000049
2004538124.tif 000050
2004538124.tif 000051
2004538124.tif 000052
2004538124.tif 000053
2004538124.tif 000054
【国際調査報告】
2004538124.tif 000055
2004538124.tif 000056